(57)【要約】【課題】運転モード等が変化しても、当該運転モード等に好適な量の冷媒を循環されることができる自動販売機を提供する。【解決手段】自動販売機１００１が有する冷媒回路１０１において、左庫熱交換器６Ｌおよび中庫熱交換器６Ｍは何れも蒸発器および凝縮器として機能する。ヒートポンプ運転（ＨＨＣ運転モードまたはＨＣＣ運転モード）の際、左庫熱交換器６Ｌの入側における高圧高温冷媒の温度（Ｔｍ）が、所定の上限温度（Ｔｕ）を超えたとき（Ｔｍ＞Ｔｕ）、圧縮機１とガスクーラ３とを連結する高圧高温配管１３に設置された開閉弁２３ｖを開いて、高圧高温冷媒の一部を、ガスクーラ３に流入させ凝縮する。【選択図】図３
2010257117.tif 000002
【特許請求の範囲】
【請求項１】
断熱材によって囲まれ一面に開口部を具備する筐体と、前記開口部を開閉する断熱扉と、前記筐体内に配置された仕切板によって仕切られた、左庫、中庫および右庫と、該左庫、中庫および右庫を選択的に加熱または冷却するための冷媒回路と、を有し、
前記冷媒回路が、
冷媒を圧縮する圧縮機と、
前記圧縮機に高圧高温配管によって接続され、前記圧縮機から流出した冷媒が流入するガスクーラと、
前記ガスクーラに高圧中温配管によって接続され、前記ガスクーラから流出した冷媒が流入する膨張手段と、
前記膨張手段にそれぞれ低圧低温配管によって接続され、前記膨張手段から流出した冷媒が選択的に供給される、前記左庫に設置された左庫熱交換器、前記中庫に設置された中庫熱交換器、および前記右庫に設置された右庫熱交換器と、
前記左庫熱交換器、前記中庫熱交換器、および前記右庫熱交換器のそれぞれと前記圧縮機とを接続する低圧中温配管と、
前記圧縮機と前記左庫熱交換器および前記中庫熱交換器とをそれぞれ接続して、前記圧縮機から流出した冷媒を前記左庫熱交換器および前記中庫熱交換器に選択的に供給するヒートポンプ用高圧高温配管と、
前記左庫熱交換器および前記中庫熱交換器とにヒートポンプ用高圧中温配管によって接続され、流入した冷媒を凝縮させる庫外熱交換器と、
前記庫外熱交換器と前記膨張手段とを接続するヒートポンプ用高圧低温配管と、
を具備し、
前記圧縮機から流出した冷媒を少なくとも前記左庫熱交換器に直接供給すると共に、前記膨張手段から流出した冷媒を少なくとも前記右庫熱交換器に直接供給する際、前記左庫熱交換器の入側における冷媒の温度が所定の温度を超えた場合、前記圧縮機から流出した冷媒の一部を前記ガスクーラに供給することを特徴とする自動販売機。
【請求項２】
断熱材によって囲まれ一面に開口部を具備する筐体と、前記開口部を開閉する断熱扉と、前記筐体内に配置された仕切板によって仕切られた、左庫、中庫および右庫と、該左庫、中庫および右庫を選択的に加熱または冷却するための冷媒回路と、を有し、
前記冷媒回路が、
冷媒を圧縮する圧縮機と、
前記圧縮機に高圧高温配管によって接続され、前記圧縮機から流出した冷媒が流入するガスクーラと、
前記ガスクーラに高圧中温配管によって接続され、前記ガスクーラから流出した冷媒が流入する膨張手段と、
前記膨張手段にそれぞれ低圧低温配管によって接続され、前記膨張手段から流出した冷媒が選択的に供給される、前記左庫に設置された左庫熱交換器、前記中庫に設置された中庫熱交換器、および前記右庫に設置された右庫熱交換器と、
前記左庫熱交換器、前記中庫熱交換器、および前記右庫熱交換器のそれぞれと前記圧縮機とを接続する低圧中温配管と、
前記圧縮機と前記左庫熱交換器および前記中庫熱交換器とをそれぞれ接続して、前記圧縮機から流出した冷媒を前記左庫熱交換器および前記中庫熱交換器に選択的に供給するヒートポンプ用高圧高温配管と、
前記左庫熱交換器および前記中庫熱交換器とにヒートポンプ用高圧中温配管によって接続され、流入した冷媒を凝縮させる庫外熱交換器と、
前記庫外熱交換器にヒートポンプ用高圧低温配管によって接続されたヒートポンプ用膨張手段と、
前記ヒートポンプ用膨張手段と前記低圧低温配管とを接続するヒートポンプ用低圧低温配管と、を具備し、
前記圧縮機から流出した冷媒を少なくとも前記左庫熱交換器に直接供給すると共に、前記ヒートポンプ用膨張手段から流出した冷媒を少なくとも前記右庫熱交換器に直接供給する際、前記左庫熱交換器の入側における冷媒の温度が所定の温度を超えた場合、前記圧縮機から流出した冷媒の一部を前記ガスクーラに供給することを特徴とする自動販売機。
【請求項３】
前記左庫熱交換器の入側における冷媒の温度が、前記ヒートポンプ用高圧高温配管の外面温度であることを特徴とする請求項１または２記載の自動販売機。
【発明の詳細な説明】
【技術分野】
【０００１】
本発明は自動販売機、特に、缶、ビン、パック、ペットボトル等の容器に入れた飲料等の商品を冷却または加熱して販売に供する自動販売機に関する。
【背景技術】
【０００２】
従来、自動販売機は、冷媒を圧縮する圧縮機と、圧縮された冷媒（以下、「高圧高温冷媒」と称す）を凝縮させる庫外凝縮器（ガスクーラに同じ）と、凝縮された冷媒（以下、「高圧中温冷媒」と称す）を膨張させる膨張手段と、膨張した冷媒（以下、「低圧低温冷媒」と称す）を蒸発させる庫内蒸発器と、これらを順次連結して蒸発した冷媒（以下、「低圧中温冷媒」と称す）を圧縮機に戻す冷媒循環回路と、からなる冷凍サイクルを有し、商品を収納する各商品収納庫内に庫内蒸発器を設置して、商品を冷却していた。
さらに、庫内蒸発器に高圧高温冷媒（ホットガスに同じ）を流して、庫内蒸発器において温熱を放出させて（凝縮器として機能させて）商品収納庫内を加熱する「ヒートポンプ運転」を実行する発明が開示されている（例えば、特許文献１参照）。
【先行技術文献】
【特許文献】
【０００３】
【特許文献１】特開２００７−２２６３３６号公報（第５−６頁、図１）
【発明の概要】
【発明が解決しようとする課題】
【０００４】
しかしながら、ヒートポンプ運転中であっても、各商品収納庫への冷媒の供給状況の変化や、周囲環境の変動に応じて、冷媒循環回路を循環する「最適な冷媒量」が異なるものの、特許文献１に開示された発明では、循環する冷媒量を好適（できれば最適）な量に調整することができないという問題があった。
このため、実際に循環する冷媒量が、最適な量より大幅に多くなると、圧縮機は過負荷となって、温度や圧力が過剰に上昇し、効率の悪化を招いていた。
【０００５】
本発明はかかる問題を解決するものであって、運転モード等が変化しても、当該運転モード等に好適な量の冷媒を循環されることができる自動販売機を提供することを目的とする。
【課題を解決するための手段】
【０００６】
（１）本発明に係る自動販売機（請求項１）は、断熱材によって囲まれ一面に開口部を具備する筐体と、前記開口部を開閉する断熱扉と、前記筐体内に配置された仕切板によって仕切られた、左庫、中庫および右庫と、該左庫、中庫および右庫を選択的に加熱または冷却するための冷媒回路と、を有し、
前記冷媒回路が、
冷媒を圧縮する圧縮機と、
前記圧縮機に高圧高温配管によって接続され、前記圧縮機から流出した冷媒が流入するガスクーラと、
前記ガスクーラに高圧中温配管によって接続され、前記ガスクーラから流出した冷媒が流入する膨張手段と、
前記膨張手段にそれぞれ低圧低温配管によって接続され、前記膨張手段から流出した冷媒が選択的に供給される、前記左庫に設置された左庫熱交換器、前記中庫に設置された中庫熱交換器、および前記右庫に設置された右庫熱交換器と、
前記左庫熱交換器、前記中庫熱交換器、および前記右庫熱交換器のそれぞれと前記圧縮機とを接続する低圧中温配管と、
前記圧縮機と前記左庫熱交換器および前記中庫熱交換器とをそれぞれ接続して、前記圧縮機から流出した冷媒を前記左庫熱交換器および前記中庫熱交換器に選択的に供給するヒートポンプ用高圧高温配管と、
前記左庫熱交換器および前記中庫熱交換器とにヒートポンプ用高圧中温配管によって接続され、流入した冷媒を凝縮させる庫外熱交換器と、
前記庫外熱交換器と前記膨張手段とを接続するヒートポンプ用高圧低温配管と、
を具備し、
前記圧縮機から流出した冷媒を少なくとも前記左庫熱交換器に直接供給すると共に、前記膨張手段から流出した冷媒を少なくとも前記右庫熱交換器に直接供給する際、前記左庫熱交換器の入側における冷媒の温度が所定の温度を超えた場合、前記圧縮機から流出した冷媒の一部を前記ガスクーラに供給することを特徴とする。
【０００７】
（２）本発明に係る自動販売機（請求項２）は、断熱材によって囲まれ一面に開口部を具備する筐体と、前記開口部を開閉する断熱扉と、前記筐体内に配置された仕切板によって仕切られた、左庫、中庫および右庫と、該左庫、中庫および右庫を選択的に加熱または冷却するための冷媒回路と、を有し、
前記冷媒回路が、
冷媒を圧縮する圧縮機と、
前記圧縮機に高圧高温配管によって接続され、前記圧縮機から流出した冷媒が流入するガスクーラと、
前記ガスクーラに高圧中温配管によって接続され、前記ガスクーラから流出した冷媒が流入する膨張手段と、
前記膨張手段にそれぞれ低圧低温配管によって接続され、前記膨張手段から流出した冷媒が選択的に供給される、前記左庫に設置された左庫熱交換器、前記中庫に設置された中庫熱交換器、および前記右庫に設置された右庫熱交換器と、
前記左庫熱交換器、前記中庫熱交換器、および前記右庫熱交換器のそれぞれと前記圧縮機とを接続する低圧中温配管と、
前記圧縮機と前記左庫熱交換器および前記中庫熱交換器とをそれぞれ接続して、前記圧縮機から流出した冷媒を前記左庫熱交換器および前記中庫熱交換器に選択的に供給するヒートポンプ用高圧高温配管と、
前記左庫熱交換器および前記中庫熱交換器とにヒートポンプ用高圧中温配管によって接続され、流入した冷媒を凝縮させる庫外熱交換器と、
前記庫外熱交換器にヒートポンプ用高圧低温配管によって接続されたヒートポンプ用膨張手段と、
前記ヒートポンプ用膨張手段と前記低圧低温配管とを接続するヒートポンプ用低圧低温配管と、を具備し、
前記圧縮機から流出した冷媒を少なくとも前記左庫熱交換器に直接供給すると共に、前記ヒートポンプ用膨張手段から流出した冷媒を少なくとも前記右庫熱交換器に直接供給する際、前記左庫熱交換器の入側における冷媒の温度が所定の温度を超えた場合、前記圧縮機から流出した冷媒の一部を前記ガスクーラに供給することを特徴とする。
【０００８】
（３）本発明に係る自動販売機（請求項３）は、前記（１）または（２）において、前記左庫熱交換器の入側における冷媒の温度が、前記ヒートポンプ用高圧高温配管の外面温度であることを特徴とする。
【発明の効果】
【０００９】
（ｉ）本発明の請求項１に係る自動販売機は、ヒートポンプ運転（ＨＣＣ運転モード、ＨＨＣ運転モード）において、左庫熱交換器の入側における冷媒の温度が所定の温度を超えた場合、前記圧縮機から流出した冷媒の一部を前記ガスクーラに供給するから、該ガスクーラに供給された量だけ循環する冷媒量が減少する。すなわち、各庫内熱交換器への冷媒の供給状況等が変化しても、当該運転状況に好適な量だけ冷媒が循環するから、圧縮機の過負荷あるいは温度や圧力の過剰な上昇が防止され、効率の悪化が防止される。
【００１０】
（ｉｉ）本発明の請求項２に係る自動販売機は、変動した運転状況に好適な量だけの冷媒が循環するから、前記（ｉ）と同様の効果が得られる。
また、膨張手段（全庫冷却用）の他に、ヒートポンプ用膨張手段を具備するから、膨張手段は全庫冷却運転（ＣＣＣ運転モード）に好適な仕様に、ヒートポンプ用膨張手段はヒートポンプ運転（ＨＣＣ運転モード、ＨＨＣ運転モード）に好適な仕様に、することができ、それぞれにおいて好適な断熱膨張を実行することができる。
【００１１】
（ｉｉｉ）本発明の請求項３に係る自動販売機は、冷媒の温度が、ヒートポンプ用高圧高温配管の外面温度としているから、温度測定が容易になって製造コストが安価になる。
【図面の簡単な説明】
【００１２】
【図１】本発明の実施の形態１に係る自動販売機を説明する正面視の断面図。
【図２】本発明の実施の形態１に係る自動販売機を説明する側面視の断面図。
【図３】図１に示す自動販売機に設置された冷媒回路を示す冷媒回路図（ＣＣＣ運転モード）。
【図４】図１に示す自動販売機に設置された冷媒回路を示す冷媒回路図（ＨＨＣ運転モード、定常時）。
【図５】図１に示す自動販売機に設置された冷媒回路を示す冷媒回路図（ＨＨＣ運転モード、異常時）。
【図６】本発明の実施の形態２に係る自動販売機に設置された冷媒回路を示す冷媒回路図（ＨＨＣ運転モード、定常時）。
【発明を実施するための形態】
【００１３】
［実施の形態１］
図１〜図５は本発明の実施の形態１に係る自動販売機を説明するものであって、図１は正面視の断面図、図２は側面視の断面図、図３はこれに設置された冷媒回路であって、全室冷却（ＣＣＣ運転モード）時の冷媒流れを示す冷媒回路図、図４はこれに設置された冷媒回路であって、２室加熱（ＨＨＣ運転モード）における定常時の冷媒流れを示す冷媒回路図、図５はこれに設置された冷媒回路であって、２室加熱（ＨＨＣ運転モード）における異常時の冷媒流れを示す冷媒回路図である。なお、各図において同じ部分または相当する部分には同じ符号を付し、一部の説明を省略する。
【００１４】
図１および図２において、自動販売機１００１は、本体のキャビネット２００と、キャビネット２００の内部で断熱材３００に包囲された商品収納庫４００と、商品Ｓを補充する時に商品収納庫４００を開閉する商品補充用扉４０４と、商品収納庫４００と外気を遮断するための内扉４０５と、自動販売機１００１の前扉４０６と、を有している。
【００１５】
（商品収納庫）
商品収納庫４００は仕切り板４０３ＬＭ、４０３ＭＲによって商品庫（以下、「左庫」と称す）４０Ｌ、商品庫（以下、「中庫」と称す）４０Ｍ、商品庫（以下、「右庫」と称す）４０Ｒに仕切られている（これらをそれぞれ又はまとめて「商品庫４０」と称す場合がある）。
なお、以下の説明において、左庫４０Ｌ、中庫４０Ｍおよび右庫４０Ｒのそれぞれに配置される部材において、共通する内容を説明する場合には、それぞれをまとめてまたはそれぞれを個別に、部材名称を形容する「左庫、中庫、右庫」や、符号の添え字「Ｌ、Ｍ、Ｒ」を省略する場合がある。
【００１６】
各商品庫４０には、商品Ｓを収納するための商品収納ラック４０７と、商品収納ラック４０７から自然落下した商品Ｓを取出すための商品取出し口４０９と、商品Ｓを商品取出し口４０９まで誘導する商品誘導板４０８とが設置され、商品誘導板４０８の下方が庫内部品収納室４１０となっている。また、庫内空気を商品収納ラック４０７を経由して庫内部品収納室４１０に循環させるための循環ダクト４２０が設置されている。
【００１７】
そして、庫内部品収納室４１０には、庫内空気を商品誘導板４０８（通気孔が設けられている）を通過して商品Ｓに衝突させる庫内ファン４３０と、庫内ファン４３０の下流（循環ダクト４２０から遠い側）に庫内熱交換手段６（これについては別途詳細に説明する）と、庫内ファン４３０および庫内熱交換手段４４０を収納する送風ダクト４５０と、送風ダクト４５０に連通して空気を通す風胴４６０と、が設置されている。そして、風胴４６０の上面に庫内温度を測定する庫内温度センサー５００が設置されている。
さらに、商品収納庫４００の下方には、コンデンシングユニット４７０および庫外ファン３ｆを収納するための機械室４８０と、電装品および制御手段を収納するための電装品収納室４９０とが配置されている。
【００１８】
（冷媒循環回路）
図３において、自動販売機１００１が有する冷媒回路１０１は、冷媒を圧縮する圧縮機１と、圧縮機１に高圧高温配管１３によって接続され、圧縮機１から流出した冷媒（以下「高圧高温冷媒」と称す場合がある）が流入するガスクーラ３と、ガスクーラ３に高圧中温配管３４によって接続され、ガスクーラ３から流出した冷媒（以下「高圧中温冷媒」と称す場合がある）が流入する膨張手段４とを有している。なお、高圧高温配管１３は途中に高圧分岐点２を有し、上流側の高圧高温配管１２と、下流側の高圧高温配管２３とから構成されている。
【００１９】
さらに、膨張手段４の出側に接続された低圧低温配管４５は、低圧分岐点５において、低圧低温配管５５Ｌ、５６Ｍ、５６Ｒに分岐され、低圧低温配管５６Ｌは左庫４０Ｌに設置された左庫熱交換器６Ｌに、低圧低温配管５６Ｍは中庫４０Ｍに設置された中庫熱交換器６Ｍに、低圧低温配管５６Ｒは右庫４０Ｒに設置された右庫熱交換器６Ｒに、それぞれ接続され、それぞれの膨張手段４において膨張した冷媒（以下「低圧低温冷媒」と称す場合がある）が選択的に供給される。
【００２０】
さらに、左庫熱交換器６Ｌの出側、中庫熱交換器６Ｍの出側、右庫熱交換器６Ｒの出側は、それぞれ低圧中温配管６７Ｌ、６７Ｍ、６７Ｒによってアキュムレータ７に接続され、それぞれにおいて蒸発した冷媒（以下「低圧中温冷媒」と称す場合がある）がアキュムレータ７に供給される。
そして、アキュムレータ７と圧縮機１とが低圧中温配管７１によって、接続されている。すなわち、以上によって、冷媒が循環する「冷却用循環回路」が形成される。
【００２１】
図４において、圧縮機１と左庫熱交換器６Ｌとがヒートポンプ用高圧高温配管１６Ｌによって接続され、高圧高温冷媒が左庫熱交換器６Ｌに供給自在になっている。なお、ヒートポンプ用高圧高温配管１６Ｌは高圧高温配管１２と、高圧分岐点２において高圧高温配管１２から分岐したヒートポンプ用高圧高温配管２６Ｌと、から構成されている。
また、同様に、圧縮機１と中庫熱交換器６Ｍとがヒートポンプ用高圧高温配管１６Ｍ（高圧高温配管１２と、ヒートポンプ用高圧高温配管２６Ｍとから構成されている）と、によって接続され、高圧高温冷媒が中庫熱交換器６Ｍに供給自在になっている。
【００２２】
さらに、左庫熱交換器６Ｌの出側および中庫熱交換器６Ｍの出側にヒートポンプ用高圧中温配管６８Ｌ、６８Ｍによって接続され、流入した冷媒（以下、「高圧中温冷媒」と称す）を凝縮させる庫外熱交換器８が、設置されている。
そして、庫外熱交換器８は、ヒートポンプ用高圧低温配管８９によってヒートポンプ用膨張手段９に接続され、ヒートポンプ用膨張手段９は低圧低温配管４５（低圧分岐点５に同じ）にヒートポンプ用低圧低温配管９５によって接続されている。
さらに、高圧高温配管２３には開閉弁２３ｖが設置されている。また、高圧高温配管２３の開閉弁２３ｖとガスクーラ３との中間と、高圧高温配管１２とは、リリーフ弁３１ｖが設置されたリリーフ配管３１によって接続されている。
【００２３】
また、左庫熱交換器６Ｌの入側における低圧低温配管５６Ｌに温度計６Ｌｔが設置され、当該位置を通過する冷媒の温度を測定している（正確には、温度計６Ｌｔの測定温度を冷媒の温度としている）。同様に、中庫熱交換器６Ｍの入側における低圧低温配管５６Ｍに温度計６Ｍｔが、右庫熱交換器６Ｒの入側における低圧低温配管５６Ｒに温度計６Ｒｔが、それぞれ設置されている。
また、ガスクーラ３と庫外熱交換器８とは近接して配置され、双方に向かって大気（庫外空気に同じ）を吹き付ける庫外ファン３ｆが設置されている。
なお、構成部材ｊと構成部材ｋを接続する配管を「・・・配管ｊｋ」と称し、「・・・配管ｊｋ」に設置された開閉弁を「開閉弁ｊｋｖ」、逆止弁を「逆止弁ｊｋｎ」と、温度測定手段を「温度計ｊｋ」と、それぞれ称す。
【００２４】
（定常時の動作）
ＨＨＣ運転モードのとき、開閉弁２３ｖが閉じ、開閉弁２６Ｌｖおよび開閉弁２６Ｍｖが開いている。したがって、高圧高温冷媒は左庫熱交換器６Ｌおよび中庫熱交換器６Ｍに流入する。そして、両方を加熱した後の高圧中温冷媒は、庫外熱交換器８において冷却され、ヒートポンプ用膨張手段９において膨張して低圧低温冷媒になり、ヒートポンプ用低圧低温配管９５、低圧低温配管４５および低圧低温配管５６Ｍを経由して右庫熱交換器６Ｒに流入する。このとき、開閉弁５６Ｌｖおよび開閉弁５６Ｍｖは閉じ、開閉弁５６Ｒｖは開いている（図４参照）。
また、ＨＣＣ運転モードのとき、開閉弁２３ｖおよび開閉弁２６Ｍｖが閉じ、開閉弁２６Ｌｖが開いている。したがって、高圧高温冷媒は左庫熱交換器６Ｌに流入する。そして、両方を加熱した後の高圧中温冷媒は、庫外熱交換器８において冷却され、ヒートポンプ用膨張手段９において膨張して低圧低温冷媒になり、ヒートポンプ用低圧低温配管９５、低圧低温配管４５、低圧低温配管５６Ｍおよび低圧低温配管５６Ｒを経由して中庫熱交換器６Ｍおよび右庫熱交換器６Ｒに流入する。このとき、開閉弁５６Ｌｖは閉じ、開閉弁５６Ｍｖおよび開閉弁５６Ｒｖは開いている。
【００２５】
（異常時の動作）
図５において、ヒートポンプ運転（ＨＨＣ運転モードまたはＨＣＣ運転モード）の際、左庫熱交換器６Ｌの入側における冷媒（高圧高温冷媒）の温度（Ｔｍ）が、所定の上限温度（以下「上限温度Ｔｕ」と称す）を超えたとき（Ｔｍ＞Ｔｕ）、開閉弁２３ｖを開く。
そうすると、高圧高温冷媒の一部は、高圧高温配管２３を経由してガスクーラ３に流入して凝縮する。すなわち、一部の冷媒が、寝込んでしまい、循環する冷媒の量がその分だけ減少する。このとき、庫外ファン３ｆを起動しておけば、前記凝縮が促進される。
【００２６】
なお、開閉弁２３ｖの開閉動作は、限定されるものではなく、温度計６Ｌｔによって、１５秒間隔に温度測定を実施し、あるいは、温度計６Ｌｔによって測定された冷媒温度を、１５秒間隔に制御手段（図示しない）に入力し、測定温度（Ｔｍ）が上限温度（Ｔｕ）を超えたとき、開閉弁２３ｖを５秒間だけ開く。
そして、次の１５秒後における測定温度（Ｔｍ）が、引き続き上限温度（Ｔｕ）を超えたときは、再度、開閉弁２３ｖを５秒間だけ開く。このような動作を繰り返すことによって、運転モード等が変化しても、当該運転モード等に好適な量の冷媒を循環されることができる。よって、圧縮機１の過負荷運転が防止され、温度や圧力が過剰に上昇することによる効率の悪化が抑えられる。
【００２７】
［実施の形態２］
図６は本発明の実施の形態２に係る自動販売機を説明するものであって、これに設置された冷媒回路における、２室加熱（ＨＨＣ運転モード）における定常時の冷媒流れを示す冷媒回路図である。なお、実施の形態１と同じ部分または相等する部分には同じ符号を付し、一部の説明を省略する。
【００２８】
図６において、高圧中温配管３４の途中に開閉弁３４ｖが設置され、庫外熱交換器８の出側と高圧中温配管３４の開閉弁３４ｖと膨張手段４との間と、がヒートポンプ用高圧低温配管８４によって接続されている。一方、冷媒回路１０１（実施の形態１）におけるヒートポンプ用膨張手段９が撤去されているから、ＣＣＣ運転モード、ＨＨＣ運転モードおよびＨＣＣ運転モードの何れの場合にも、膨張手段４によって冷房が膨張される。
【００２９】
（定常時の動作）
ＨＨＣ運転モードのとき、開閉弁２３ｖが閉じ、開閉弁２６Ｌｖおよび開閉弁２６Ｍｖが開いている。したがって、高圧高温冷媒は左庫熱交換器６Ｌおよび中庫熱交換器６Ｍに流入する。そして、両方を加熱した後の高圧中温冷媒は、庫外熱交換器８において冷却され、ヒートポンプ用高圧低温配管８４を経由して膨張手段４に流入する。このとき、開閉弁３４ｖが閉じているから、庫外熱交換器８から流出した冷媒（以下、「高圧低温冷媒」と称する場合がある）が、ガスクーラ３に流入することはない。
さらに、膨張手段４において膨張した冷媒（低圧低温冷媒）は、低圧低温配管４５および低圧低温配管５６Ｍを経由して右庫熱交換器６Ｒに流入する。このとき、開閉弁５６Ｌｖおよび開閉弁５６Ｍｖは閉じ、開閉弁５６Ｒｖは開いている。
また、ＨＣＣ運転モードのときも庫外熱交換器８を出てからの動作は、ＨＨＣ運転モードに同じであるから、説明を省略する。
【００３０】
（異常時の動作）
異常時の動作は冷媒回路１０１（実施の形態１）における異常時の動作に同じであって、ヒートポンプ運転（ＨＨＣ運転モードまたはＨＣＣ運転モード）の際、左庫熱交換器６Ｌの入側における冷媒（高圧高温冷媒）の温度（Ｔｍ）が、所定の上限温度（以下「上限温度Ｔｕ」と称す）を超えたとき（Ｔｍ＞Ｔｕ）、開閉弁２３ｖを開く。
そうすると、高圧高温冷媒の一部は、高圧高温配管２３を経由してガスクーラ３に流入して凝縮する。すなわち、一部の冷媒が、液相でガスクーラ３に溜まり、循環する冷媒の量がその分だけ減少する。このとき、庫外ファン３ｆを起動しておけば、前記凝縮が促進される。
【００３１】
なお、冷媒回路１０２には、ヒートポンプ用高圧低温配管８４と高圧中温配管３４とが接続され、高圧中温配管３４には開閉弁３４ｖが設置されているから、開閉弁２３ｖを一時的に開く替わりに開閉弁３４ｖを一時的に開いてもよい。すなわち、高圧低温冷媒の一部は、高圧中温配管３４を経由してガスクーラ３に流入して凝縮するから、一部の冷媒が、液相でガスクーラ３に溜まり、循環する冷媒の量がその分だけ減少する。
このとき、庫外ファン３ｆを起動しておけば、前記凝縮が促進される。
また、開閉弁２３ｖあるいは開閉弁３４ｖの開閉動作は、限定されるものではない。
【００３２】
［実施例］
表１は、冷媒回路１０１（実施の形態１）におけるヒートポンプ運転（ＨＣＣ運転モード）の際の動作を示している。このとき、左室４０Ｌには補助加熱用のヒータが設置されている。
すなわち、左庫熱交換器６Ｌの入側における冷媒温度（Ｔｍ）が、６９℃°（上限温度Ｔｕに同じ）を超えたとき（Ｔｍ＜６９℃）、開閉弁２３ｖを閉じ、開閉弁２６Ｌｖを開いている。したがって、圧縮機１は運転され高圧高温冷媒は左庫熱交換器６Ｌに流入する。なお、ヒータに通電していない。
一方、前記冷媒温度（Ｔｍ）が６９℃以上で７０℃以下のとき（６９℃≦Ｔｍ≦７０℃）、開閉弁２３ｖおよび開閉弁２６Ｌｖの双方を開いている。したがって、圧縮機１は運転され高圧高温冷媒は左庫熱交換器６Ｌに流入する。なお、ヒータに通電していない。
さらに、前記冷媒温度（Ｔｍ）が７０℃を超えると（７０℃＜Ｔｍ）、開閉弁２３ｖは開いたままで、開閉弁２６Ｌｖを閉じている。したがって、高圧高温冷媒は左庫熱交換器６Ｌに流入しないから、ヒータに通電して、ヒータによって加熱している。
なお、このとき、圧縮機１は中庫熱交換器６Ｍおよび右庫熱交換器６Ｒの冷却条件によって、運転される場合と停止される場合とがある。
【００３３】
【表１】
2010257117.tif 000003
【産業上の利用可能性】
【００３４】
本発明によれば、ヒートポンプ運転において、循環する冷媒量を適正に管理することによって運転効率を良好に維持することができるから、各種自動販売機として広く利用することができる。
【符号の説明】
【００３５】
１ 圧縮機
２ 高圧分岐点
３ ガスクーラ
３ｆ 庫外ファン
４ 膨張手段
５ 低圧分岐点
６Ｌ 左庫熱交換器
６Ｌｔ 温度計
６Ｍ 中庫熱交換器
６Ｍｔ 温度計
６Ｒ 右庫熱交換器
６Ｒｔ 温度計
７ アキュムレータ
８ 庫外熱交換器
９ ヒートポンプ用膨張手段
１２ 高圧高温配管
１３ 高圧高温配管
１６Ｌ ヒートポンプ用高圧高温配管
１６Ｍ ヒートポンプ用高圧高温配管
２３ 高圧高温配管
２３ｖ 開閉弁
２６Ｌ ヒートポンプ用高圧高温配管
２６Ｌｖ 開閉弁
２６Ｍ ヒートポンプ用高圧高温配管
２６Ｍｖ 開閉弁
３１ リリーフ配管
３１ｖ リリーフ弁
３４ 高圧中温配管
３４ｖ 開閉弁
４０Ｌ 左庫（商品庫）
４０Ｍ 中庫（商品庫）
４０Ｒ 右庫（商品庫）
４５ 低圧低温配管
５６Ｌ 低圧低温配管
５６Ｍ 低圧低温配管
５６Ｒ 低圧低温配管
５６Ｌｖ 開閉弁
５６Ｍｖ 開閉弁
５６Ｒｖ 開閉弁
６７Ｌ 低圧中温配管
６７Ｍ 低圧中温配管
６７Ｒ 低圧中温配管
６８Ｌ ヒートポンプ用高圧中温配管
６８Ｍ ヒートポンプ用高圧中温配管
７１ 低圧中温配管
８４ ヒートポンプ用高圧低温配管
８９ ヒートポンプ用高圧低温配管
９５ ヒートポンプ用低圧低温配管
１００１ 自動販売機
１０１ 冷媒回路（実施の形態１）
１０２ 冷媒回路（実施の形態２）
２００ キャビネット
３００ 断熱材
４００ 商品収納庫
４０３ＬＭ 仕切板
４０３ＭＲ 仕切板
４０４ 商品補充用扉
４０５ 内扉
４０６ 前扉
４０７ 商品収納ラック
４０８ 商品誘導板
４０９ 商品取出し口
４１０ 庫内部品収納室
４２０ 循環ダクト
４３０ 庫内ファン
４４０ 庫内熱交換手段
４５０ 送風ダクト
４６０ 風胴
４７０ コンデンシングユニット
４８０ 機械室
４９０ 電装品収納室
５００ 庫内温度センサー
Ｓ 商品
【図１】
2010257117.tif 000004
【図２】
2010257117.tif 000005
【図３】
2010257117.tif 000006
【図４】
2010257117.tif 000007
【図５】
2010257117.tif 000008
【図６】
2010257117.tif 000009